(57)【要約】【課題】手や服等が触れても汚れにくく、鳥の足等にも付着しにくく、施工部位の制約がなく、安価に施工できて施工部位の外観体裁もよい鳥類用忌避シートを提供する。【解決手段】シート基材１の表面側に鳥類忌避成分を含有する粘性塗膜層２、同裏面側に接着剤層３が形成され、粘性塗膜層２の表面に保護フィルム４、接着剤層３の表面に剥離フィルム５がそれぞれ貼着されてなる鳥類用忌避シートＳである。使用時に剥離フィルム５を剥離除去し、接着剤層３によって取付基体Ｂの表面に接着固定し、保護フィルム４を剥離して粘性塗膜層を露呈させる。【選択図】図１
0003178740.tif 000002
【実用新案登録請求の範囲】
【請求項１】
シート基材の表面側に鳥類忌避成分を含有する粘性塗膜層、同裏面側に接着剤層が形成され、前記粘性塗膜層の表面に保護フィルム、前記接着剤層の表面に剥離フィルムがそれぞれ貼着されてなり、
使用時に前記剥離フィルムを剥離除去し、前記接着剤層によって取付基体の表面に接着固定すると共に、前記保護フィルムを剥離して前記粘性塗膜層を露呈させるように構成されてなる鳥類用忌避シート。
【請求項２】
前記シート基材が不織布からなる請求項１に記載の鳥類用忌避シート。
【請求項３】
前記保護フィルムが透明、前記剥離フィルムが不透明である請求項１又は２に記載の鳥類用忌避シート。
【考案の詳細な説明】
【技術分野】
【０００１】
本考案は、ハトやカラス等の鳥類による糞害や営巣等を防止するのに用いる鳥類用忌避シートに関する。
【背景技術】
【０００２】
近年、市街地での鳥類による被害が多発しており、特に高架橋下、看板や広告塔、電柱、建物のベランダや屋上、ビルの窓枠部、屋根付き駐車場、工場や倉庫、神社や仏閣等では、飛来したハトやカラス等が巣作りしたり、糞を撒き散らして周辺を汚すことが大きな社会問題になっている。
【０００３】
従来の防鳥対策として、鳥が留まり易い部位や営巣し易い部位にピンを剣山状に設置する方法、建物やベランダ等の開口部に侵入防止用のネットやワイヤーを張り巡らす方法、鳥が留まり易い部位に沿って電撃用の通電線を配線する方法等が知られている。しかるに、これらの方法は、大掛かりで施工コストが高く付くことから、採用するのは公共施設や大規模事業所が主であり、一般的には費用面より採用しにくい上、防鳥効果も完全とは言えず、また施工部の外観が悪くなるという難点もあった。
【０００４】
一方、従来より犬猫を始めとする様々な小動物用の忌避剤が開発されており、鳥類用としても種々の忌避剤が提案されている。その鳥類用忌避剤の中でも、鳥の嫌う臭気や味を持つ成分を含有するジェル状の忌避剤（例えば、特許文献１）は、チューブからの絞り出しやコーキングガンにより、鳥の飛来部位に塗り付けるだけで簡易に且つ安価に防鳥施工を行える上、臭気及び味に加えて鳥の嫌がる粘着性を持つことも相俟って忌避効果が大きく、前記の物理的な方法に代わる防鳥対策として需要が拡大しつつある。また、このようなジェル状の忌避剤を受皿に入れ、その受皿を底面に取り付けた粘着テープによって鳥が留まり易い部位に固定するようにしたものも登場している（特許文献２）。
【先行技術文献】
【特許文献】
【０００５】
【特許文献１】特開２００５−４７８６５号公報
【特許文献２】実用新案登録第３１５３２８１号公報
【考案の概要】
【考案が解決しようとする課題】
【０００６】
しかしながら、前記のジェル状忌避剤をチューブからの絞り出しやコーキングガンによって塗り付ける方法では、忌避剤が太い線状や塊状に盛り付けた状態になるため、手や服等が接触すると付着して汚れることになり、この点から人が触れ易い部位には施工しにくい上、狭い場所や垂れ落ちし易い部位には適用できず、また塗り付けた状態の見映えが悪いといった問題があった。一方、前記のジェル状忌避剤を入れた受皿を用いる方法では、忌避剤が受皿に入っている分だけ接触しにくくはなっても、やはり不用意に手や服が触れて汚れることを確実には防止できず、また受皿を粘着テープで止着する上で設置部位が制約され、特に曲面状や凹凸状の表面部とか細い部分には固定困難であり、加えて受皿を並べた状態での外観体裁も良くない。更に、これらの方法では、飛来した鳥が忌避剤に触れて逃げても、その足や嘴に付着した忌避剤で次に留まった部位を汚す懸念もある。
【０００７】
本考案は、上述の事情に鑑みて、鳥類の忌避手段として、手や服等が触れても汚れにくく、また鳥の足等にも付着しにくく、しかも施工部位の制約がない上、安価に施工できて施工部位の外観体裁もよい鳥類用忌避シートを提供することを目的としている。
【課題を解決するための手段】
【０００８】
上記目的を達成するための手段を図面の参照符号を付して示せば、請求項１の考案に係る鳥類用忌避シートＳは、シート基材１の表面側に鳥類忌避成分を含有する粘性塗膜層２、同裏面側に接着剤層３が形成され、粘性塗膜層２の表面に保護フィルム４、接着剤層３の表面に剥離フィルム５がそれぞれ貼着されてなり、使用時に剥離フィルム５を剥離除去し、接着剤層３によって取付基体Ｂの表面に接着固定すると共に、保護フィルム４を剥離して粘性塗膜層を露呈させるように構成されてなる。
【０００９】
請求項２の考案は、上記請求１の鳥類用忌避シートＳにおいて、シート基材１が不織布からなるものとしている。
【００１０】
請求項３の考案は、上記請求項１又は２の鳥類用忌避シートＳにおいて、保護フィルム４が透明、剥離フィルム５が不透明であるものとしている。
【考案の効果】
【００１１】
次に、本考案による効果を図面の参照符号を付して示す。まず、請求項１の考案に係る鳥類用忌避シートＳによれば、その施工部位に飛来したハトやカラス等の鳥類は、粘性塗膜層２の鳥類忌避成分による嫌な臭いや味を感じると共に、該粘性塗膜層２に触れた足等が粘りつく嫌な感触を受けるため、直ちに飛び去ることになり、また飛来時に鳥類特有の高い学習能力によって該忌避シートＳを嫌なものと認識して記憶するから、以降は該忌避シートＳを視覚的及び嗅覚的に捉えただけで忌避行動をとり、別の場所の施工部位にも近付かなくなる。そして、この鳥類用忌避シートＳでは、鳥類忌避剤がシート基材１表面の粘性塗膜層２を構成し、従来のジェル状忌避剤のような盛り付け状態ではないから、不用意に手や服が触れた場合に粘りつく感触はあっても付着汚れは生じにくく、もって人が触れやすい部位にも支障なく施工可能であり、また鳥がシートＳ上に留まっても足等に付着しにくいため、飛び去った鳥が次に留まった部位を汚すことも殆どない。
【００１２】
一方、この鳥類用忌避シートＳは、忌避剤が垂れ落ちる懸念がなくことに加え、シート形態であるために施工部位の制約がなく、曲面状や凹凸状の表面部とか細い部分にも全体を密着させて確実に止着できる上、施工部位の状況に応じて鋏やカッターで裁断して適合サイズに設定できる。また、この鳥類用忌避シートＳは、形態的に安価に量産できると共に、取付基体に対して裏面側の接着剤層３を押し付けるだけで止着でき、操作的に極めて簡単で高い施工能率が得られ、しかも平坦なシート形態であるために施工部位の外観体裁を悪化させず、逆に意匠的効果を付与することも可能である。更に、この鳥類用忌避シートＳの未使用形態では、粘性塗膜層２の表面が保護フィルム４で覆われているから、該粘性塗膜層２の劣化が抑制され、且つ表面の塵埃付着による粘性低下や汚れも防止され、また裏面側にも剥離フィルム５が貼着されているから、シート両面が粘着せず取扱い性及び保管性に優れるという利点もある。
【００１３】
請求項２の考案によれば、シート基材１が不織布からなり、表裏の粘性塗膜層２及び接着剤層３が共に一部を下地の不織布の繊維間に含浸してシート基材１に一体化し、層間剥離を生じない状態になるから、施工に際して保護フィルム４及び剥離フィルム５を剥離し易く、且つ施工状態での優れた耐久性が得られ、またシート製作時の両層２，３の塗布形成も容易となる。
【００１４】
請求項３の考案によれば、保護フィルム４が透明、剥離フィルム５が不透明であることで、視覚的に表裏の違いを明瞭に区別できるから、施工時に表裏を間違えて止着する誤操作を確実に防止できる。
【図面の簡単な説明】
【００１５】
【図１】本考案の一実施形態に係る鳥類用忌避シートの斜視図である。
【図２】同忌避シートの一部の断面図である。
【図３】同忌避シートを取付基体に止着した状態の要部の縦断面図である。
【図４】フェンスの笠木に対する同忌避シートの止着例を示し、（ａ）は笠木が角形である場合の斜視図、（ｂ）は笠木が丸形である場合の斜視図である。
【考案を実施するための形態】
【００１６】
以下に、本考案に係る鳥類用忌避シートの一実施形態について、図面を参照して具体的に説明する。
【００１７】
図１及び図２に示すように、鳥類用忌避シートＳは、シート基材１の表面側に鳥類忌避成分を含有する粘性塗膜層２、同裏面側に接着剤層３が形成され、粘性塗膜層２の表面に保護フィルム４、接着剤層３の表面に剥離フィルム５がそれぞれ貼着されてなる。
【００１８】
ここで、シート基材１の材質としては、柔軟性を有するものであれば特に制約はなく、例えば不織布、織布、合成樹脂シート、合成樹脂含浸繊維シート、これらの積層物等を使用できるが、粘性塗膜層２及び接着剤層３の含浸親和性と材料コストの両面から不織布が好適である。
【００１９】
粘性塗膜層２に含有する鳥類忌避成分としては、鳥類の嫌う臭気や味を持つものであれば特に制約はなく、例えばカプサイシン（からし成分）の如き辛味成分、メントール、ミント、各種ハーブ成分の如き刺激臭成分、トゲバラように鳥類が危険性を認識している植物の臭気（バラ臭）成分等が挙げられる。なお、鳥類に対して殺傷作用や病害を与える成分は好ましくない。
【００２０】
また、粘性塗膜層２は、上記のような鳥類忌避成分と、植物油や鉱物由の如き油剤、保湿剤、カルボキシビニルポリマー（カルボマー）を代表とするカルボン酸ポリマーの如き増粘剤を、水と共に混和して粘稠なジェル状ないしペースト状にし、これをシート基材１の表面に塗工して形成される。しかして、鳥類忌避剤として上記の粘稠なジェル状ないしペースト状の市販品（例えば、フジナガ社製の商品名ＢＳバードジェル、プロテクト社製の商品名プロテクトＰＴ、南青山建築工房社製の商品名はとにげ〜る等）があるため、これらを塗工することで粘性塗膜層２を容易に形成できる。
【００２１】
接着剤層３は、一般的な剥離フィルム付きの接着シート（粘着シート）の接着剤層（粘着剤層）と同様であり、被着面に押し付けて接着できる機能があればよく、種々の既知組成を採用できる。
【００２２】
保護フィルム４及び剥離フィルム５としても、粘着面に貼着して剥離できるものであればよく、この種フィルム用として従来より既知の合成樹脂材及び離型剤を塗布した紙材を特に制約なく使用できる。ただし、鳥類用忌避シートＳの表裏を視覚的に区別する上で、保護フィルム４を透明、剥離フィルム５を不透明とすることが推奨される。
【００２３】
なお、強度と施工性及び取扱い性からシート基材１の厚みは０．５〜２．０ｍｍ程度がよく、また剥離操作性から保護フィルム４の厚みは０．０５〜０．２ｍｍ程度、剥離フィルム５の厚みは０．１〜０．３ｍｍ程度とするのがよい。
【００２４】
このような鳥類用忌避シートＳの施工においては、まず剥離フィルム５を剥離した上で、図３に示すように、取付基体Ｂの表面に接着剤層３を押し付けて接着固定したのち、保護フィルム４を剥離して粘性塗膜層２を露呈させればよい。
【００２５】
図４（ａ）は、フェンスＦ１の角筒状の笠木Ｐ１の上面に、複数枚の鳥類用忌避シートＳを直線状に並べて止着した状態を示す。また図４（ｂ）は、フェンスＦ２の円筒パイプからなる笠木Ｐ２の頂部側に、複数枚の鳥類用忌避シートＳを直線状に並べて止着した状態を示す。
【００２６】
図４（ａ）（ｂ）のような鳥類用忌避シートＳの施工部位では、飛来したハトやカラス等の鳥類が留まると、粘性塗膜層２の鳥類忌避成分による嫌な臭いや味を感じると共に、該粘性塗膜層２に触れた足等が粘りつく嫌な感触を受けるため、直ちに飛び去ることになる。また、この鳥類用忌避シートＳに留まることを経験した鳥類は、特有の高い学習能力によって該忌避シートＳを嫌なものと認識して記憶するから、以降は該忌避シートを視覚的及び嗅覚的に捉えただけで忌避行動をとり、別の場所の施工部位にも近付かなくなる。そして、この鳥類用忌避シートＳでは、鳥類忌避剤がシート基材１表面の粘性塗膜層２を構成し、従来のジェル状忌避剤のような盛り付け状態ではないから、不用意に手や服が触れた場合に粘りつく感触はあっても付着汚れは生じにくく、もって人が触れやすい部位にも支障なく施工可能である。更に、鳥がシートＳ上に留まっても足等に付着しにくいため、飛び去った鳥が次に留まった部位を汚すことも殆どない。
【００２７】
一方、この鳥類用忌避シートＳは、忌避剤が垂れ落ちる懸念がないことは無論のこと、柔軟で折り曲げ自在なシート形態であるために施工部位の制約がなく、図４（ｂ）の如き曲面状や凹凸状の表面部、また細い部分にも、全体を密着させて確実に止着できる上、施工部位の状況に応じて鋏やカッターで裁断して適合するサイズに設定できる。しかも平坦なシート形態であるため、施工部位の外観体裁を悪化させないばかりか、図４（ａ）（ｂ）の施工例で示されるように、むしろ止着状態によっては見映えを良くする意匠的効果も得られる。
【００２８】
また、この鳥類用忌避シートＳは、言わば湿布剤のような形態であるため、該湿布剤に類した製品用の既存の連続的生産設備を利用して安価に量産できることに加え、取付基体Ｂに対して裏面側の剥離フィルム５を剥離した状態で押し付けるだけで止着でき、操作的に極めて簡単で高い施工能率が得られるから、鳥類の忌避手段として施工コストが非常に少なくて済むという大きな利点がある。更に、この鳥類用忌避シートＳの未使用形態では、粘性塗膜層２の表面が保護フィルム４で覆われているから、該粘性塗膜層２の劣化が抑制されると共に、その表面の塵埃付着による粘性低下や汚れも防止され、また裏面側にも剥離フィルム５が貼着されているから、シート両面が粘着せず取扱い性及び保管性に優れている。
【００２９】
なお、シート基材１として不織布を用いれば、表裏の粘性塗膜層２及び接着剤層３が共に一部を下地の不織布の繊維間に含浸して該シート基材１に一体化し、層間剥離を生じない状態になるから、施工に際して保護フィルム４及び剥離フィルム５を剥離し易く、且つ施工状態での優れた耐久性が得られ、またシート製作時の両層２，３の塗布形成も容易となる。更に、既述のように保護フィルム４を透明、剥離フィルム５を不透明とすれば、視覚的に表裏の違いを明瞭に区別できるから、施工時に表裏を間違えて止着する誤操作を確実に防止できる。
【００３０】
本考案の鳥類用忌避シートＳは、実施形態として例示した短冊状のものに限らず、様々な形状にできると共に、長尺状のものを巻回したテープ形態とすることも可能である。
【符号の説明】
【００３１】
Ｓ      鳥類用忌避シート
Ｂ      取付基体
１      シート基材
２      粘性塗膜層
３      接着剤層
４      保護フィルム
５      剥離フィルム
【図１】
0003178740.tif 000003
【図２】
0003178740.tif 000004
【図３】
0003178740.tif 000005
【図４】
0003178740.tif 000006